(57)【要約】【課題】ビッグバンの以前、電子のラブができる以前、放出した電磁気はどうして“質量となる物質”を吸収できたか。“質量を持つ電磁気”1個の質量はいくらか。そのエネルギーと引力はいくらか。電子のラブと陽子のラブが“質量を持つ電磁気”の集合体である事は何で証明できるか。【解決手段】電磁気1個の輪の引力と、ブラックホールの場の1個の電子のラブが作るの引力を比較する。“質量を持つ電磁気”1個の質量＝電子のラブの質量÷電子のラブの電磁気数＝9.1098×10−31Kg÷(7.028×1017個)＝1.296×10−48Kg。“質量を持つ電磁気”1個のエネルギー＝1.296×10−48Kg×9×1016×A。“質量を持つ電磁気”1個の引力＝8.168×10−6J/Kg×1.296×10−48Kg×A = 1.059×10−53J×A。電子のラブと陽子のラブは自転し磁気の光子を作り、公転し電気の光子を作るのは、電磁気の集合体である証拠です。【選択図】図２
2012080686.tif 000002
【特許請求の範囲】
【請求項１】
ビッグバンの以前、電子のラブができる以前、大宇宙に電磁気が放出した。その電磁気はどのようになっているか。引力はどのようであるか。
電磁気1個が1つの輪になり、磁気の光子が内側に向かって回転する事により、微細な質量のある物質は電磁気の中心に取り込まれた。その電磁気はどのようになっているか。
その電気の光子の軌道(公転軌道)はいくらか。磁気の光子の軌道(自転軌道)はいくらか。磁気の光子1個のエネルギーはいくらか。引力はどのようであるか。
次の式により計算する。
電気の光子の軌道(公転軌道)＝1.233×10−41Jm÷電磁気のエネルギー
磁気の光子の軌道(自転軌道)＝電気の光子の軌道×3.14÷1公転の自転数＝電気の光子の軌道×3.14÷(7.96×107)
磁気の光子1個のエネルギー＝電磁気のエネルギー÷1公転の自転数＝電磁気のエネルギー÷(7.96×107)
引力＝電磁気の輪の磁気の光子のエネルギー＝電磁気1個のエネルギー
１eVの場合。
電気の光子の軌道(公転軌道)＝1.233×10−41Jm÷(1.602×10−19J)＝7.697×10−23m
磁気の光子の軌道(自転軌道)＝電気の光子の軌道×3.14÷(7.96×107)＝7.697×10−23m×3.14÷(7.96×107)＝3.036×10−30m
磁気の光子1個のエネルギー＝電磁気のエネルギー÷(7.96×107)＝1.602×10−19J÷(7.96×107)＝2.013×10−27J
引力＝1.602×10−19J
2.154×10−19Jの場合。
電気の光子の軌道(公転軌道)＝1.233×10−41Jm÷(2.154×10−19J)＝5.724×10−23m
磁気の光子の軌道(自転軌道)＝電気の光子の軌道×3.14÷(7.96×107)＝5.724×10−23m×3.14÷(7.96×107)＝2.258×10−30m
磁気の光子1個のエネルギー＝電磁気のエネルギー÷(7.96×107)＝2.154×10−19J÷(7.96×107)＝2.706×10−27J
引力＝2.154×10−19J
1.423×10−18Jの場合。
電気の光子の軌道(公転軌道)＝1.233×10−41Jm÷(1.423×10−18J)＝8.665×10−24m
磁気の光子の軌道(自転軌道)＝電気の光子の軌道×3.14÷(7.96×107)＝8.665×10−24m×3.14÷(7.96×107)＝3.418×10−31m
磁気の光子1個のエネルギー＝電磁気のエネルギー÷(7.96×107)＝1.423×10−18J÷(7.96×107)＝1.788×10−26J
引力＝1.423×10−18J
1.233×10−17Jの場合。
電気の光子の軌道(公転軌道)＝1.233×10−41Jm÷(1.233×10−17J)＝10−24m
磁気の光子の軌道(自転軌道)＝電気の光子の軌道×3.14÷(7.96×107)＝10−24m×3.14÷(7.96×107)＝3.945×10−32m
磁気の光子1個のエネルギー＝電磁気のエネルギー÷(7.96×107)＝1.233×10−17J÷(7.96×107)＝1.549×10−25J
引力＝1.233×10−17J
4.499×10−15Jの場合。
電気の光子の軌道(公転軌道)＝1.233×10−41Jm÷(4.499×10−15J)＝2.741×10−27m
磁気の光子の軌道(自転軌道)＝電気の光子の軌道×3.14÷(7.96×107)＝2.741×10−27m×3.14÷(7.96×107)＝1.081×10−34m
磁気の光子1個のエネルギー＝電磁気のエネルギー÷(7.96×107)＝4.499×10−15J÷(7.96×107)＝5.652×10−23J
引力＝4.499×10−15J
【請求項２】
ブラックホールの場の1電子のラブが作る引力はいくらか。放出した電磁気1個の引力は、ブラックホールの場の1電子のラブが作る引力の何倍か。
・ブラックホールの場の1電子のラブが作る引力はいくらか。
ブラックホールの場の性質については、特願2007−133476、に記した。
ブラックホールの場は、電子のラブの公転軌道は、1.434×10−16mです。ブラックホールの場のAは、7.378×105です。
1電子のラブが作る引力は、1原子が作る引力にほぼ等しい。
地表では、1電子のラブが作る引力&#8785;1原子が作る引力＝(6.672×10−11Nm2/Kg2)1/2×1原子の質量＝8.168×10−6J/Kg×1.6606×10−27Kg=1.356×10−32J
ブラックホールの場で、1電子のラブが作る引力は、地表の1電子のラブが作る引力×A=1.356×10−32J×7.378×105＝10−26Jです。
それで、これ以上の磁気の光子のエネルギーであれば、光子をも、吸い込む事ができる。
・放出した電磁気1個の引力は、ブラックホールの場の1電子のラブが作る引力の何倍か。
１eVの場合。
放出した電磁気1個の引力÷ブラックホールの場の1電子のラブが作る引力＝1.602×10−19J÷10−26J＝1.602×107(倍)
放出した電磁気1個の引力は、ブラックホールの場の1電子のラブが作る引力の1.602×107倍です。
2.154×10−19Jの場合。
放出した電磁気1個の引力÷ブラックホールの場の1電子のラブが作る引力＝2.154×10−19J÷10−26J＝2.154×107(倍)
放出した電磁気1個の引力は、ブラックホールの場の1電子のラブが作る引力の2.154×107倍です。
1.423×10−18Jの場合。
放出した電磁気1個の引力÷ブラックホールの場の1電子のラブが作る引力＝1.423×10−18J÷10−26J＝1.423×108(倍)
放出した電磁気1個の引力は、ブラックホールの場の1電子のラブが作る引力の1.423×108倍です。
1.233×10−17Jの場合。
放出した電磁気1個の引力÷ブラックホールの場の1電子のラブが作る引力＝1.233×10−17J÷10−26J＝1.233×109(倍)
放出した電磁気1個の引力は、ブラックホールの場の1電子のラブが作る引力の1.233×109倍です。
4.499×10−15Jの場合。
放出した電磁気1個の引力÷ブラックホールの場の1電子のラブが作る引力＝4.499×10−15J÷10−26J＝4.499×1011(倍)
放出した電磁気1個の引力は、ブラックホールの場の1電子のラブが作る引力の4.499×1011倍です。
この事によって、放出した電磁気1個の引力は、ブラックホールの場の1電子のラブが作る引力より大きいので、“質量になる物質”を吸収できる。それで、“質量を持つ電磁気”ができた
【請求項３】
放出した電磁気は、“質量を持つ電磁気”に成った。“質量を持つ電磁気”1個の質量はいくらか。
“質量を持つ電磁気”1個の質量＝電子のラブの質量÷電子のラブの電磁気数＝9.1098×10−31Kg÷(7.028×1017個)＝1.296×10−48Kg
“質量を持つ電磁気”1個の質量＝陽子のラブの質量÷陽子のラブの電磁気数＝1.67265×10−27Kg÷(1.289×1021個)＝1.298×10−48Kg
“質量を持つ電磁気”1個の質量は1.296×10−48Kgです。
【請求項４】
“質量を持つ電磁気”1個のエネルギーはいくらか。(これは、場のエネルギーにより異なる)
地表において、E＝mｃ2ですが、地表のA倍のエネルギーの場では、E＝mｃ2×A、です。
“質量を持つ電磁気”1個のエネルギー＝mｃ2×A＝1.296×10−48Kg×9×1016×A
この事により、“質量を持つ電磁気”1個のエネルギーは、存在する場のエネルギーにより異なる。高エネルギーの場では、高エネルギーになる。
・電子のラブができる場では、エネルギーは何倍になっているか。
電子のラブができる場のA は、1.865×1038aです。放出した電磁気によってできる場のAは、2.653×1020aです。(特願2010−210141より)
電子のラブができる場のA÷放出した電磁気によってできる場のA＝1.865×1038a÷(2.653×1020a)＝7.030×1017
電子のラブができる場では、エネルギーは7.030×1017倍になっている。それで、電磁気は7.030×1017個集まって、1つの電子のラブとなることができる。
・陽子のラブができる場では、エネルギーは何倍になっているか。
陽子のラブができる場のA は、3.421×1041aです。放出した電磁気によってできる場のAは、2.653×1020aです。
陽子のラブができる場のA÷放出した電磁気によってできる場のA＝3.421×1041a÷(2.653×1020a)＝1.289×1021
陽子のラブができる場では、エネルギーは1.289×1021倍になっている。それで、電磁気は2.189×1021個集まって、1つの陽子のラブとなることができる。
【請求項５】
“質量を持つ電磁気”1個の引力はいくらか。(これは、場のエネルギーにより異なる)
地表で、質量が1.296×10−48Kgの引力は、(6.672×10−11Nm2/Kg2)1/2×1.296×10−48Kg＝8.168×10−6J/Kg×1.296×10−48Kg
=1.059×10−53J、です。
地表のA倍のエネルギーの場では、引力＝1.059×10−53J×A、です。
この事により、“質量を持つ電磁気”1個の引力は、存在する場のエネルギーにより異なる。高エネルギーの場では、高引力になる。
・電子のラブができる場では、引力は何倍になっているか。
電子のラブができる場のA は、1.865×1038aです。放出した電磁気によってできる場のAは、2.653×1020aです。(特願2010−210141より)
電子のラブができる場のA÷放出した電磁気のエネルギーによってできる場のA＝1.865×1038a÷(2.653×1020a)＝7.030×1017
電子のラブができる場では、引力は7.030×1017倍になっている。それで、電磁気は7.030×1017個集まって、1つの電子のラブとなることができる。
・陽子のラブができる場では、引力は何倍になっているか。
陽子のラブができる場のA は、3.421×1041aです。放出した電磁気のエネルギーによってできる場のAは、2.653×1020aです。
陽子のラブができる場のA÷放出した電磁気のエネルギーによってできる場のA＝3.421×1041a÷(2.653×1020a)＝1.289×1021
陽子のラブができる場では、引力は1.289×1021倍になっている。それで、電磁気は2.189×1021個集まって、1つの陽子のラブとなることができる。
【請求項６】
電子のラブと陽子のラブの性質は何によってできたか。(電子のラブと陽子のラブが電磁気でできた証拠)
電子のラブは、“質量を持つ電磁気”が7.028×1017個集まってできた。
陽子のラブは、“質量を持つ電磁気”が1.289×1021個集まってできた。
それで、電子のラブは“質量を持つ電磁気”の集合体である。よって、電子のラブは、質量を持ち、電磁気の性質を持つ。電子のラブのは自転し磁気の光子を作り、公転し電気の光子を作るのは、電子のラブは電磁気でできた証拠です。
陽子のラブは“質量を持つ電磁気”の集合体である。よって、陽子のラブは、質量を持ち、電磁気の性質を持つ。陽子のラブが自転し磁気の光子を作り、公転し電気の光子を作るのは、陽子のラブは電磁気でできた証拠です。
【請求項７】
電子のラブと陽子のラブは1公転で何分の1のエネルギーを放出するか。
地表で、電子のラブが1公転で作る電磁気のエネルギーは、1.165×10−31Jです。
電子のラブが1公転で作る電気の光子1個のエネルギー＝1.233×10−41Jm÷電子のラブの公転軌道＝1.233×10−41Jm÷(1.058×10−10m)＝1.165×10−31J
電子のラブが1公転で作る電気の光子1個のエネルギー(電磁気1個のエネルギー)は電子のラブのエネルギーの何分の1か。
電子のラブのエネルギー÷電子のラブが1公転で作る電磁気のエネルギー＝8.187×10−14J÷(1.165×10−31J)＝7.027×1017
電子のラブが1公転で作る電磁気のエネルギーは、電子のラブのエネルギーの7.027×1017分の1です。
この事は、電子のラブは1公転するとき、電磁気数分の1のエネルギーを作っているという事です。
陽子のラブの場合。
地表で、陽子のラブが1公転で作る電磁気のエネルギーは、1.165×10−31Jです。
陽子のラブが1公転で作る電気の光子1個のエネルギー＝6.724×10−45Jm÷陽子のラブの公転軌道＝6.724×10−45Jm ÷(5.764×10−14m)＝1.167×10−31J
陽子のラブが1公転で作る電気の光子1個のエネルギー(電磁気1個のエネルギー)は陽子のラブのエネルギーの何分の1か。
陽子のラブのエネルギー÷陽子のラブが1公転で作る電磁気のエネルギー＝1.5×10−10J÷(1.167×10−31J)＝1.285×1021
陽子のラブが1公転で作る電磁気のエネルギーは、陽子のラブのエネルギーの1.285×1021分の1です。
この事は、陽子のラブは1公転するとき、電磁気数分の1のエネルギーを作っているという事です。
【発明の詳細な説明】
【技術分野】
【０００１】
本発明は、電子と陽子がどのようにできたかに関するものである。
【背景技術】
【０００２】
電子と陽子はビッグバンの以前にできた。私は、電子の中に非常に小さい物が存在する。その名を電子のラブと名付けた。陽子の中に非常に小さい物が存在する。その名を陽子のラブと名付けた。私は、特願2010−195029において次のように記した。
(ビッグバンの以前、電子のラブが存在しない時、大宇宙に微細な物質が存在した。電磁波が大宇宙に放出した。大宇宙は絶対0℃であったので、抵抗はなく、電磁波は大宇宙に広まった。磁気の光子は中心に向かって回転する。それで、微細の物質は磁気の光子の回転により、電磁気の中に取り込まれる。電磁気の中に微細な物質が入る。これが電磁気を持つ物質です。これが3.75×10−1Jm/Kg の物質です。大宇宙は、3.75×10−1Jm/Kg
の物質になった。)
そして、特願2010−210141では、次のように記した。
(電子のラブと陽子のラブは何個の電磁気でできたか。電子のラブと陽子のラブができた場の温度と引力はいくらであったか。特願2006−336352の式により計算する。
電子のラブの電磁気数＝電子のラブの公転軌道エネルギー÷1公転するときの電気の光子の軌道エネルギー＝8.665×10−24Jm÷(1.233×10−41Jm)＝7.028×1017公転(＝個)
陽子のラブの電磁気数＝陽子のラブの公転軌道エネルギー÷1公転するときの電気の光子の軌道エネルギー＝8.665×10−24Jm÷(6.724×10−45Jm)＝1.287×1021公転(＝個)。
aJの電磁気を放出すると電磁場ができる。その電磁気に雑多なゴミが吸収され、質量をもった電磁気ができ、それらが集まって、電子のラブができた場と、陽子のラブができた場を作った。その場の温度と引力を、特願2009−145952の考えにより計算する。)
特願2010−195029の、微細な物質と、特願2010−210141の、雑多なゴミを、“質量になる物質”と改名する。
【先行技術文献】
【特許文献】
【０００３】
【特許文献１】特願２００６−３３６３５２
【特許文献２】特願２００６−３５７５５０
【特許文献３】特願２００７−１１２３８９
【特許文献４】特願２００７−１３３４７６
【特許文献５】特願２００７−１５０７５９
【特許文献６】特願２００７−２７９６１７
【特許文献７】特願２００８−１６２５５３
【特許文献８】特願２００９−２１８１９２
【特許文献９】特願２０１０−１９５０２９
【特許文献１０】特願２０１０−２１０１４１
【発明の概要】
【発明が解決しようとする課題】
【０００４】
解決しようとする課題を次に記す。
１．ビッグバンの以前、電子のラブができる以前、大宇宙に電磁気が放出した。その電磁気はどのようになっているか。引力はどのようであるか。
2．それはブラックホールの引力の何倍か。
3．放出した電磁気は、“質量を持つ電磁気”に成った。“質量を持つ電磁気”1個の質量はいくらか。
4．“質量を持つ電磁気”1個のエネルギーはいくらか。(これは、場のエネルギーにより異なる)
5．“質量を持つ電磁気”1個の引力はいくらか。(これは、場のエネルギーにより異なる)
6．電子のラブと陽子のラブの性質は何によってできたか。(電子のラブと陽子のラブが電磁気でできた証拠)
7．電子のラブと陽子のラブは1公転で何分の1のエネルギーを放出するか。
【課題を解決するための手段】
【０００５】
解決する手段を課題別に説明する。計算の式は、特願2006−336352の表を用いる。
１．ビッグバンの以前、電子のラブができる以前、大宇宙に電磁気が放出した。その電磁気はどのようになっているか。引力はどのようであるか。
電磁気1個が1つの輪になり、磁気の光子が内側に向かって回転する事により、“質量になる物質”は電磁気の中心に取り込まれた。その電磁気はどのようになっているか。
その電気の光子の軌道(公転軌道)はいくらか。磁気の光子の軌道(自転軌道)はいくらか。磁気の光子1個のエネルギーはいくらか。引力はどのようであるか。
次の式により計算する。
電気の光子の軌道(公転軌道)＝1.233×10−41Jm÷電磁気のエネルギー
磁気の光子の軌道(自転軌道)＝電気の光子の軌道×3.14÷1公転の自転数＝電気の光子の軌道×3.14÷(7.96×10７)
磁気の光子1個のエネルギー＝電磁気のエネルギー÷1公転の自転数＝電磁気のエネルギー÷(7.96×10７)
引力＝電磁気の輪の磁気の光子のエネルギー＝電磁気1個のエネルギー
2．ブラックホールの場の1電子のラブが作る引力はいくらか。放出した電磁気1個の引力は、ブラックホールの場の1電子のラブが作る引力の何倍か。
・ブラックホールの場の1電子のラブが作る引力はいくらか。
ブラックホールの場の性質については、特願2007−133476、に記した。
ブラックホールの場は、電子のラブの公転軌道は、1.434×10−16mです。ブラックホールの場のAは、7.378×105です。
1電子のラブが作る引力は、1原子が作る引力にほぼ等しい。
地表では、1電子のラブが作る引力＝1原子が作る引力＝(6.672×10−11Nm2/Kg2)1/2×1原子の質量＝8.168×10−6J/Kg×1.6606×10−27Kg=1.356×10−32J
ブラックホールの場で、1電子のラブが作る引力は、地表の1電子のラブが作る引力×A=1.356×10−32J×7.378×105＝10−26Jです。
それで、これ以上の磁気の光子のエネルギーであれば、光子をも、吸い込む事ができる。
・放出した電磁気1個の引力は、ブラックホールの場の1電子のラブが作る引力の何倍か。
例えば、放出した電磁気1個が、2.154×10−19Jであれば、2.154×10−19J÷10−26J＝2.154×107倍であるので、吸い込む事ができる。
3．放出した電磁気は、“質量を持つ電磁気”に成った。“質量を持つ電磁気”1個の質量はいくらか。
“質量を持つ電磁気”1個の質量＝電子のラブの質量÷電子のラブの電磁気数＝9.1098×10−31Kg÷(7.028×1017個)＝1.296×10−48Kg
“質量を持つ電磁気”1個の質量＝陽子のラブの質量÷陽子のラブの電磁気数＝1.67265×10−27Kg÷(1.289×1021個)＝1.298×10−48Kg
“質量を持つ電磁気”1個の質量は1.296×10−48Kgです。
4．“質量を持つ電磁気”1個のエネルギーはいくらか。(これは、場のエネルギーにより異なる)
地表において、E＝mｃ2ですが、地表のA倍のエネルギーの場では、E＝mｃ2×A、です。
“質量を持つ電磁気”1個のエネルギー＝mｃ2×A＝1.296×10−48Kg×9×1016×A
・放出した電磁気のエネルギーによってできる場では、放出した電磁気1個のエネルギーが１eVの場合。
“質量を持つ電磁気”1個のエネルギー＝1.296×10−48Kg×9×1016×42.50＝4.957×10−30J
・電子のラブができる場では、放出した電磁気1個のエネルギーが１eVの場合。
“質量を持つ電磁気”1個のエネルギー＝1.296×10−48Kg×9×1016×2.987×1019＝3.484×10−12J
“質量を持つ電磁気”1個のエネルギーが、3.484×10−12J÷(4.957×10−30J)＝7.028×1017、倍である場であるので、“質量を持つ電磁気”は7.028×1017個集まった。
・陽子のラブができる場では、放出した電磁気1個のエネルギーが１eVの場合。
“質量を持つ電磁気”1個のエネルギー＝1.296×10−48Kg×9×1016×5.479×1022＝6.389×10−9J
“質量を持つ電磁気”1個のエネルギーが、6.389×10−9J÷(4.957×10−30J)＝1.289×1021、倍である場であるので、“質量を持つ電磁気”は1.289×1021個集まった。
5．“質量を持つ電磁気”1個の引力はいくらか。(これは、場のエネルギーにより異なる)
地表で、質量が1.296×10−48Kgの引力は、(6.672×10−11Nm2/Kg2)1/2×1.296×10−48Kg＝8.168×10−6J/Kg×1.296×10−48Kg
=1.059×10−53J、です。
地表のA倍のエネルギーの場では、引力＝1.059×10−53J×A、です。
・放出した電磁気のエネルギーによってできる場では、放出した電磁気1個のエネルギーが１eVの場合。
“質量を持つ電磁気”1個の引力＝1.059×10−53J×42.50＝4.501×10−52J
・電子のラブができる場では、放出した電磁気1個のエネルギーが１eVの場合。
“質量を持つ電磁気”1個の引力＝1.059×10−53J×2.987×1019＝3.163×10−34J
“質量を持つ電磁気”1個の引力が、3.163×10−34J÷(4.501×10−52J)＝7.027×1017、倍である場であるので、“質量を持つ電磁気”は7.028×1017個集まった。
・陽子のラブができる場では、放出した電磁気1個のエネルギーが１eVの場合。
“質量を持つ電磁気”1個の引力＝1.059×10−53J×5.479×1022＝5.802×10−31J
“質量を持つ電磁気”1個の引力が、5.802×10−31J÷(4.501×10−52J)＝1.289×1021、倍である場であるので、“質量を持つ電磁気”は1.289×1021個集まった。
6．電子のラブと陽子のラブの性質は何によってできたか。(電子のラブと陽子のラブが電磁気でできた証拠)
電子のラブは、“質量を持つ電磁気”が7.028×1017個集まってできた。
陽子のラブは、“質量を持つ電磁気”が1.289×1021個集まってできた。
それで、電子のラブは“質量を持つ電磁気”の集合体である。よって、電子のラブは、質量を持ち、電磁気の性質を持つ。電子のラブが自転しながら公転するのは、電子のラブは電磁気であるからです。電子のラブが自転しながら公転するのは、電子のラブは電磁気でできた証拠です。
陽子のラブは“質量を持つ電磁気”の集合体である。よって、陽子のラブは、質量を持ち、電磁気の性質を持つ。陽子のラブが自転しながら公転するのは、陽子のラブは電磁気であるからです。陽子のラブが自転しながら公転するのは、陽子のラブは電磁気でできた証拠です。
7．電子のラブと陽子のラブは1公転で何分の1のエネルギーを放出するか。
地表で、電子のラブが1公転で作る電磁気のエネルギーは、1.165×10−31Jです。
電子のラブが1公転で作る電気の光子1個のエネルギー＝1.233×10−41Jm÷電子のラブの公転軌道＝1.233×10−41Jm÷(1.058×10−10m)＝1.165×10−31J
電子のラブが1公転で作る電気の光子1個のエネルギー(電磁気1個のエネルギー)は電子のラブのエネルギーの何分の1か。
電子のラブのエネルギー÷電子のラブが1公転で作る電磁気のエネルギー＝8.187×10−14J÷(1.165×10−31J)＝7.027×1017
電子のラブが1公転で作る電磁気のエネルギーは、電子のラブのエネルギーの7.027×1017分の1です。
この事は、電子のラブは1公転するとき、電磁気数分の1のエネルギーを作っているという事です。
陽子のラブの場合。
地表で、陽子のラブが1公転で作る電磁気のエネルギーは、1.165×10−31Jです。
陽子のラブが1公転で作る電気の光子1個のエネルギー＝6.724×10−45Jm÷陽子のラブの公転軌道＝6.724×10−45Jm ÷(5.764×10−14m)＝1.167×10−31J
陽子のラブが1公転で作る電気の光子1個のエネルギー(電磁気1個のエネルギー)は陽子のラブのエネルギーの何分の1か。
陽子のラブのエネルギー÷陽子のラブが1公転で作る電磁気のエネルギー＝1.5×10−10J÷(1.167×10−31J)＝1.285×1021
陽子のラブが1公転で作る電磁気のエネルギーは、陽子のラブのエネルギーの1.285×1021分の1です。
この事は、陽子のラブは1公転するとき、電磁気数分の1のエネルギーを作っているという事です。
【発明の効果】
【０００６】
次の事が理解できた。
１．ビッグバンの以前、電子のラブができる以前、大宇宙に電磁気が放出した。その電磁気はどのようになっているか。引力はどのようであるか。
電磁気1個が1つの輪になり、磁気の光子が内側に向かって回転する事により、微細な質量のある物質は電磁気の中心に取り込まれた。その電磁気はどのようになっているか。
その電気の光子の軌道(公転軌道)はいくらか。磁気の光子の軌道(自転軌道)はいくらか。磁気の光子1個のエネルギーはいくらか。引力はどのようであるか。
次の式により計算する。
電気の光子の軌道(公転軌道)＝1.233×10−41Jm÷電磁気のエネルギー
磁気の光子の軌道(自転軌道)＝電気の光子の軌道×3.14÷1公転の自転数＝電気の光子の軌道×3.14÷(7.96×107)
磁気の光子1個のエネルギー＝電磁気のエネルギー÷1公転の自転数＝電磁気のエネルギー÷(7.96×107)
引力＝電磁気の輪の磁気の光子のエネルギー＝電磁気1個のエネルギー
１eVの場合。
電気の光子の軌道(公転軌道)＝1.233×10−41Jm÷(1.602×10−19J)＝7.697×10−23m
磁気の光子の軌道(自転軌道)＝電気の光子の軌道×3.14÷(7.96×107)＝7.697×10−23m×3.14÷(7.96×107)＝3.036×10−30m
磁気の光子1個のエネルギー＝電磁気のエネルギー÷(7.96×107)＝1.602×10−19J÷(7.96×107)＝2.013×10−27J
引力＝1.602×10−19J
2.154×10−19Jの場合。
電気の光子の軌道(公転軌道)＝1.233×10−41Jm÷(2.154×10−19J)＝5.724×10−23m
磁気の光子の軌道(自転軌道)＝電気の光子の軌道×3.14÷(7.96×107)＝5.724×10−23m×3.14÷(7.96×107)＝2.258×10−30m
磁気の光子1個のエネルギー＝電磁気のエネルギー÷(7.96×107)＝2.154×10−19J÷(7.96×107)＝2.706×10−27J
引力＝2.154×10−19J
1.423×10−18Jの場合。
電気の光子の軌道(公転軌道)＝1.233×10−41Jm÷(1.423×10−18J)＝8.665×10−24m
磁気の光子の軌道(自転軌道)＝電気の光子の軌道×3.14÷(7.96×107)＝8.665×10−24m×3.14÷(7.96×107)＝3.418×10−31m
磁気の光子1個のエネルギー＝電磁気のエネルギー÷(7.96×107)＝1.423×10−18J÷(7.96×107)＝1.788×10−26J
引力＝1.423×10−18J
1.233×10−17Jの場合。
電気の光子の軌道(公転軌道)＝1.233×10−41Jm÷(1.233×10−17J)＝10−24m
磁気の光子の軌道(自転軌道)＝電気の光子の軌道×3.14÷(7.96×107)＝10−24m×3.14÷(7.96×107)＝3.945×10−32m
磁気の光子1個のエネルギー＝電磁気のエネルギー÷(7.96×107)＝1.233×10−17J÷(7.96×107)＝1.549×10−25J
引力＝1.233×10−17J
4.499×10−15Jの場合。
電気の光子の軌道(公転軌道)＝1.233×10−41Jm÷(4.499×10−15J)＝2.741×10−27m
磁気の光子の軌道(自転軌道)＝電気の光子の軌道×3.14÷(7.96×107)＝2.741×10−27m×3.14÷(7.96×107)＝1.081×10−34m
磁気の光子1個のエネルギー＝電磁気のエネルギー÷(7.96×107)＝4.499×10−15J÷(7.96×107)＝5.652×10−23J
引力＝4.499×10−15J
2．ブラックホールの場の1電子のラブが作る引力はいくらか。放出した電磁気1個の引力は、ブラックホールの場の1電子のラブが作る引力の何倍か。
・ブラックホールの場の1電子のラブが作る引力はいくらか。
ブラックホールの場の性質については、特願2007−133476、に記した。
ブラックホールの場は、電子のラブの公転軌道は、1.434×10−16mです。ブラックホールの場のAは、7.378×105です。
1電子のラブが作る引力は、1原子が作る引力にほぼ等しい。
地表では、1電子のラブが作る引力＝1原子が作る引力＝(6.672×10−11Nm2/Kg2)1/2×1原子の質量＝8.168×10−6J/Kg×1.6606×10−27Kg=1.356×10−32J
ブラックホールの場で、1電子のラブが作る引力は、地表の1電子のラブが作る引力×A=1.356×10−32J×7.378×105＝10−26Jです。
それで、これ以上の磁気の光子のエネルギーであれば、光子をも、吸い込む事ができる。
・放出した電磁気1個の引力は、ブラックホールの場の1電子のラブが作る引力の何倍か。
１eVの場合。
放出した電磁気1個の引力÷ブラックホールの場の1電子のラブが作る引力＝1.602×10−19J÷10−26J＝1.602×107(倍)
放出した電磁気1個の引力は、ブラックホールの場の1電子のラブが作る引力の1.602×107倍です。
2.154×10−19Jの場合。
放出した電磁気1個の引力÷ブラックホールの場の1電子のラブが作る引力＝2.154×10−19J÷10−26J＝2.154×107(倍)
放出した電磁気1個の引力は、ブラックホールの場の1電子のラブが作る引力の2.154×107倍です。
1.423×10−18Jの場合。
放出した電磁気1個の引力÷ブラックホールの場の1電子のラブが作る引力＝1.423×10−18J÷10−26J＝1.423×108(倍)
放出した電磁気1個の引力は、ブラックホールの場の1電子のラブが作る引力の1.423×108倍です。
1.233×10−17Jの場合。
放出した電磁気1個の引力÷ブラックホールの場の1電子のラブが作る引力＝1.233×10−17J÷10−26J＝1.233×109(倍)
放出した電磁気1個の引力は、ブラックホールの場の1電子のラブが作る引力の1.233×109倍です。
4.499×10−15Jの場合。
放出した電磁気1個の引力÷ブラックホールの場の1電子のラブが作る引力＝4.499×10−15J÷10−26J＝4.499×1011(倍)
放出した電磁気1個の引力は、ブラックホールの場の1電子のラブが作る引力の4.499×1011倍です。
この事によって、放出した電磁気1個の引力は、ブラックホールの場の1電子のラブが作る引力より大きいので、“質量になる物質”を吸収できる。それで、“質量を持つ電磁気”ができた。
3．放出した電磁気は、“質量を持つ電磁気”に成った。“質量を持つ電磁気”1個の質量はいくらか。
“質量を持つ電磁気”1個の質量＝電子のラブの質量÷電子のラブの電磁気数＝9.1098×10−31Kg÷(7.028×1017個)＝1.296×10−48Kg
“質量を持つ電磁気”1個の質量＝陽子のラブの質量÷陽子のラブの電磁気数＝1.67265×10−27Kg÷(1.289×1021個)＝1.298×10−48Kg
“質量を持つ電磁気”1個の質量は1.296×10−48Kgです。
4．“質量を持つ電磁気”1個のエネルギーはいくらか。(これは、場のエネルギーにより異なる)
地表において、E＝mｃ2ですが、地表のA倍のエネルギーの場では、E＝mｃ2×A、です。
“質量を持つ電磁気”1個のエネルギー＝mｃ2×A＝1.296×10−48Kg×9×1016×A
この事により、“質量を持つ電磁気”1個のエネルギーは、存在する場のエネルギーにより異なる。高エネルギーの場では、高エネルギーになる。
・電子のラブができる場では、エネルギーは何倍になっているか。
電子のラブができる場のA は、1.865×1038aです。放出した電磁気によってできる場のAは、2.653×1020aです。(特願2010−210141より)
電子のラブができる場のA÷放出した電磁気によってできる場のA＝1.865×1038a÷(2.653×1020a)＝7.030×1017
電子のラブができる場では、エネルギーは7.030×1017倍になっている。それで、電磁気は7.030×1017個集まって、1つの電子のラブとなることができる。
・陽子のラブができる場では、エネルギーは何倍になっているか。
陽子のラブができる場のA は、3.421×1041aです。放出した電磁気によってできる場のAは、2.653×1020aです。
陽子のラブができる場のA÷放出した電磁気によってできる場のA＝3.421×1041a÷(2.653×1020a)＝1.289×1021
陽子のラブができる場では、エネルギーは1.289×1021倍になっている。それで、電磁気は2.189×1021個集まって、1つの陽子のラブとなることができる。
5．“質量を持つ電磁気”1個の引力はいくらか。(これは、場のエネルギーにより異なる)
地表で、質量が1.296×10−48Kgの引力は、(6.672×10−11Nm2/Kg2)1/2×1.296×10−48Kg＝8.168×10−6J/Kg×1.296×10−48Kg
=1.059×10−53J、です。
地表のA倍のエネルギーの場では、引力＝1.059×10−53J×A、です。
この事により、“質量を持つ電磁気”1個の引力は、存在する場のエネルギーにより異なる。高エネルギーの場では、高引力になる。
・電子のラブができる場では、引力は何倍になっているか。
電子のラブができる場のA は、1.865×1038aです。放出した電磁気によってできる場のAは、2.653×1020aです。(特願2010−210141より)
電子のラブができる場のA÷放出した電磁気のエネルギーによってできる場のA＝1.865×1038a÷(2.653×1020a)＝7.030×1017
電子のラブができる場では、引力は7.030×1017倍になっている。それで、電磁気は7.030×1017個集まって、1つの電子のラブとなることができる。
・陽子のラブができる場では、引力は何倍になっているか。
陽子のラブができる場のA は、3.421×1041aです。放出した電磁気のエネルギーによってできる場のAは、2.653×1020aです。
陽子のラブができる場のA÷放出した電磁気のエネルギーによってできる場のA＝3.421×1041a÷(2.653×1020a)＝1.289×1021
陽子のラブができる場では、引力は1.289×1021倍になっている。それで、電磁気は2.189×1021個集まって、1つの陽子のラブとなることができる。
6．電子のラブと陽子のラブの性質は何によってできたか。(電子のラブと陽子のラブが電磁気でできた証拠)
電子のラブは、“質量を持つ電磁気”が7.028×1017個集まってできた。
陽子のラブは、“質量を持つ電磁気”が1.289×1021個集まってできた。
それで、電子のラブは“質量を持つ電磁気”の集合体である。よって、電子のラブは、質量を持ち、電磁気の性質を持つ。電子のラブのは自転し磁気の光子を作り、公転し電気の光子を作るのは、電子のラブは電磁気でできた証拠です。
陽子のラブは“質量を持つ電磁気”の集合体である。よって、陽子のラブは、質量を持ち、電磁気の性質を持つ。陽子のラブが自転し磁気の光子を作り、公転し電気の光子を作るのは、陽子のラブは電磁気でできた証拠です。
7．電子のラブと陽子のラブは1公転で何分の1のエネルギーを放出するか。
地表で、電子のラブが1公転で作る電磁気のエネルギーは、1.165×10−31Jです。
電子のラブが1公転で作る電気の光子1個のエネルギー＝1.233×10−41Jm÷電子のラブの公転軌道＝1.233×10−41Jm÷(1.058×10−10m)＝1.165×10−31J
電子のラブが1公転で作る電気の光子1個のエネルギー(電磁気1個のエネルギー)は電子のラブのエネルギーの何分の1か。
電子のラブのエネルギー÷電子のラブが1公転で作る電磁気のエネルギー＝8.187×10−14J÷(1.165×10−31J)＝7.027×1017
電子のラブが1公転で作る電磁気のエネルギーは、電子のラブのエネルギーの7.027×1017分の1です。
この事は、電子のラブは1公転するとき、電磁気数分の1のエネルギーを作っているという事です。
陽子のラブの場合。
地表で、陽子のラブが1公転で作る電磁気のエネルギーは、1.165×10−31Jです。
陽子のラブが1公転で作る電気の光子1個のエネルギー＝6.724×10−45Jm÷陽子のラブの公転軌道＝6.724×10−45Jm ÷(5.764×10−14m)＝1.167×10−31J
陽子のラブが1公転で作る電気の光子1個のエネルギー(電磁気1個のエネルギー)は陽子のラブのエネルギーの何分の1か。
陽子のラブのエネルギー÷陽子のラブが1公転で作る電磁気のエネルギー＝1.5×10−10J÷(1.167×10−31J)＝1.285×1021
陽子のラブが1公転で作る電磁気のエネルギーは、陽子のラブのエネルギーの1.285×1021分の1です。
この事は、陽子のラブは1公転するとき、電磁気数分の1のエネルギーを作っているという事です。
【図面の簡単な説明】
【０００７】
【図１】図1は、放出した電磁気の様子を示す。例えば、放出した電磁気が1.223×10−17mの場合。電気の光子の軌道(公転軌道)は10−24mで、エネルギーは、1.233×10−17Jです。磁気の光子の軌道(自転軌道)は3.945×10−32mで、磁気の光子1個のエネルギーは1.549×10−25Jです。
【図２】図２は、電磁気の引力は、電磁気1個のエネルギーです。例えば、放出した電磁気が1.223×10−17Jの場合。電磁気1個の引力は1.223×10−17Jです。ブラックホールの場の1個の電子のラブが作る引力は、10−26Jです。ブラックホールの場は、電子のラブの公転軌道は、1.434×10−16mです。ブラックホールの場のAは、7.378×105です。地上で1電子のラブが作る引力は、ほぼ1原子が作る引力に等しいので、1.356×10−32Jですから、ブラックホールでは、1.356×10−32J×7.378×105＝10−26J、です。電磁気の引力は、ブラックホールの1電子のラブが作る引力の、1.223×10−17J÷10−26J＝1.233×109倍です。それで、電磁気は“質量になる物質”を吸収できる。
【図３】図3は、電子のラブは、自転し磁気の光子を作り、公転し電気の光子を作っている。これは電子のラブは電磁気(電気の光子と磁気の光子)である証拠です。電子のラブは1公転で、電子のラブのエネルギーの7.028×1017分の１の電磁気を作る。陽子のラブは1公転で、陽子のラブのエネルギーの1.289×1021分の1の電磁気を作る。1公転で、電磁気数分の1のエネルギーを作る。
【発明を実施するための形態】
【０００８】
１．ビッグバンの以前、電子のラブができる以前、大宇宙に電磁気が放出した。その電磁気はどのようになっているか。引力はどのようであるか。
電磁気1個が1つの輪になり、磁気の光子が内側に向かって回転する事により、微細な質量のある物質は電磁気の中心に取り込まれた。その電磁気はどのようになっているか。
その電気の光子の軌道(公転軌道)はいくらか。磁気の光子の軌道(自転軌道)はいくらか。磁気の光子1個のエネルギーはいくらか。引力はどのようであるか。
次の式により計算する。
電気の光子の軌道(公転軌道)＝1.233×10−41Jm÷電磁気のエネルギー
磁気の光子の軌道(自転軌道)＝電気の光子の軌道×3.14÷1公転の自転数＝電気の光子の軌道×3.14÷(7.96×107)
磁気の光子1個のエネルギー＝電磁気のエネルギー÷1公転の自転数＝電磁気のエネルギー÷(7.96×107)
引力＝電磁気の輪の磁気の光子のエネルギー＝電磁気1個のエネルギー
１eVの場合。
電気の光子の軌道(公転軌道)＝1.233×10−41Jm÷(1.602×10−19J)＝7.697×10−23m
磁気の光子の軌道(自転軌道)＝電気の光子の軌道×3.14÷(7.96×107)＝7.697×10−23m×3.14÷(7.96×107)＝3.036×10−30m
磁気の光子1個のエネルギー＝電磁気のエネルギー÷(7.96×107)＝1.602×10−19J÷(7.96×107)＝2.013×10−27J
引力＝1.602×10−19J
2.154×10−19Jの場合。
電気の光子の軌道(公転軌道)＝1.233×10−41Jm÷(2.154×10−19J)＝5.724×10−23m
磁気の光子の軌道(自転軌道)＝電気の光子の軌道×3.14÷(7.96×107)＝5.724×10−23m×3.14÷(7.96×107)＝2.258×10−30m
磁気の光子1個のエネルギー＝電磁気のエネルギー÷(7.96×107)＝2.154×10−19J÷(7.96×107)＝2.706×10−27J
引力＝2.154×10−19J
1.423×10−18Jの場合。
電気の光子の軌道(公転軌道)＝1.233×10−41Jm÷(1.423×10−18J)＝8.665×10−24m
磁気の光子の軌道(自転軌道)＝電気の光子の軌道×3.14÷(7.96×107)＝8.665×10−24m×3.14÷(7.96×107)＝3.418×10−31m
磁気の光子1個のエネルギー＝電磁気のエネルギー÷(7.96×107)＝1.423×10−18J÷(7.96×107)＝1.788×10−26J
引力＝1.423×10−18J
1.233×10−17Jの場合。
電気の光子の軌道(公転軌道)＝1.233×10−41Jm÷(1.233×10−17J)＝10−24m
磁気の光子の軌道(自転軌道)＝電気の光子の軌道×3.14÷(7.96×107)＝10−24m×3.14÷(7.96×107)＝3.945×10−32m
磁気の光子1個のエネルギー＝電磁気のエネルギー÷(7.96×107)＝1.233×10−17J÷(7.96×107)＝1.549×10−25J
引力＝1.233×10−17J
4.499×10−15Jの場合。
電気の光子の軌道(公転軌道)＝1.233×10−41Jm÷(4.499×10−15J)＝2.741×10−27m
磁気の光子の軌道(自転軌道)＝電気の光子の軌道×3.14÷(7.96×107)＝2.741×10−27m×3.14÷(7.96×107)＝1.081×10−34m
磁気の光子1個のエネルギー＝電磁気のエネルギー÷(7.96×107)＝4.499×10−15J÷(7.96×107)＝5.652×10−23J
引力＝4.499×10−15J
2．ブラックホールの場の1電子のラブが作る引力はいくらか。放出した電磁気1個の引力は、ブラックホールの場の1電子のラブが作る引力の何倍か。
・ブラックホールの場の1電子のラブが作る引力はいくらか。
ブラックホールの場の性質については、特願2007−133476、に記した。
ブラックホールの場は、電子のラブの公転軌道は、1.434×10−16mです。ブラックホールの場のAは、7.378×105です。
1電子のラブが作る引力は、1原子が作る引力にほぼ等しい。
地表では、1電子のラブが作る引力＝1原子が作る引力＝(6.672×10−11Nm2/Kg2)1/2×1原子の質量＝8.168×10−6J/Kg×1.6606×10−27Kg=1.356×10−32J
ブラックホールの場で、1電子のラブが作る引力は、地表の1電子のラブが作る引力×A=1.356×10−32J×7.378×105＝10−26Jです。
それで、これ以上の磁気の光子のエネルギーであれば、光子をも、吸い込む事ができる。
・放出した電磁気1個の引力は、ブラックホールの場の1電子のラブが作る引力の何倍か。
１eVの場合。
放出した電磁気1個の引力÷ブラックホールの場の1電子のラブが作る引力＝1.602×10−19J÷10−26J＝1.602×107(倍)
放出した電磁気1個の引力は、ブラックホールの場の1電子のラブが作る引力の1.602×107倍です。
2.154×10−19Jの場合。
放出した電磁気1個の引力÷ブラックホールの場の1電子のラブが作る引力＝2.154×10−19J÷10−26J＝2.154×107(倍)
放出した電磁気1個の引力は、ブラックホールの場の1電子のラブが作る引力の2.154×107倍です。
1.423×10−18Jの場合。
放出した電磁気1個の引力÷ブラックホールの場の1電子のラブが作る引力＝1.423×10−18J÷10−26J＝1.423×108(倍)
放出した電磁気1個の引力は、ブラックホールの場の1電子のラブが作る引力の1.423×108倍です。
1.233×10−17Jの場合。
放出した電磁気1個の引力÷ブラックホールの場の1電子のラブが作る引力＝1.233×10−17J÷10−26J＝1.233×109(倍)
放出した電磁気1個の引力は、ブラックホールの場の1電子のラブが作る引力の1.233×109倍です。
4.499×10−15Jの場合。
放出した電磁気1個の引力÷ブラックホールの場の1電子のラブが作る引力＝4.499×10−15J÷10−26J＝4.499×1011(倍)
放出した電磁気1個の引力は、ブラックホールの場の1電子のラブが作る引力の4.499×1011倍です。
この事によって、放出した電磁気1個の引力は、ブラックホールの場の1電子のラブが作る引力より大きいので、“質量になる物質”を吸収できる。それで、“質量を持つ電磁気”ができた。
3．放出した電磁気は、“質量を持つ電磁気”に成った。“質量を持つ電磁気”1個の質量はいくらか。
“質量を持つ電磁気”1個の質量＝電子のラブの質量÷電子のラブの電磁気数＝9.1098×10−31Kg÷(7.028×1017個)＝1.296×10−48Kg
“質量を持つ電磁気”1個の質量＝陽子のラブの質量÷陽子のラブの電磁気数＝1.67265×10−27Kg÷(1.289×1021個)＝1.298×10−48Kg
“質量を持つ電磁気”1個の質量は1.296×10−48Kgです。
4．“質量を持つ電磁気”1個のエネルギーはいくらか。(これは、場のエネルギーにより異なる)
地表において、E＝mｃ2ですが、地表のA倍のエネルギーの場では、E＝mｃ2×A、です。
“質量を持つ電磁気”1個のエネルギー＝mｃ2×A＝1.296×10−48Kg×9×1016×A
・放出した電磁気によってできる場において。
１eVの場合。
“質量を持つ電磁気”1個のエネルギー＝1.296×10−48Kg×9×1016×42.50＝4.957×10−30J
2.154×10−19Jの場合。
“質量を持つ電磁気”1個のエネルギー＝1.296×10−48Kg×9×1016×57.15＝6.666×10−30J
1.424×10−18Jの場合。
“質量を持つ電磁気”1個のエネルギー＝1.296×10−48Kg×9×1016×3.776×102＝4.404×10−29J
1.234×10−1７Jの場合。
“質量を持つ電磁気”1個のエネルギー＝1.296×10−48Kg×9×1016×3.271×103＝3.815×10−28J
4.499×10−15Jの場合。
“質量を持つ電磁気”1個のエネルギー＝1.296×10−48Kg×9×1016×1.195×106＝1.394×10−25J
・電子のラブができる場において。
１eVの場合。
“質量を持つ電磁気”1個のエネルギー＝1.296×10−48Kg×9×1016×2.987×1019＝3.484×10−12J
2.154×10−19Jの場合。
“質量を持つ電磁気”1個のエネルギー＝1.296×10−48Kg×9×1016×4.017×1019＝4.685×10−12J
1.424 ×10−18Jの場合。
“質量を持つ電磁気”1個のエネルギー＝1.296×10−48Kg×9×1016×2.655×1020＝3.097×10−11J
1.234×10−17Jの場合。
“質量を持つ電磁気”1個のエネルギー＝1.296×10−48Kg×9×1016×2.299×1021＝2.682×10−10J
4.499×10−15Jの場合。
“質量を持つ電磁気”1個のエネルギー＝1.296×10−48Kg×9×1016×8.389×1023＝9.785×10−8J
・陽子のラブができる場において。
１eVの場合。
“質量を持つ電磁気”1個のエネルギー＝1.296×10−48Kg×9×1016×5.479×1022＝6.391×10−9J
2.154×10−19Jの場合。
“質量を持つ電磁気”1個のエネルギー＝1.296×10−48Kg×9×1016×7.367×1022＝8.593×10−9J
1.424×10−18Jの場合。
“質量を持つ電磁気”1個のエネルギー＝1.296×10−48Kg×9×1016×4.867×1023＝5.677×10−8J
1.234×10−17Jの場合。
“質量を持つ電磁気”1個のエネルギー＝1.296×10−48Kg×9×1016×4.220×1024＝4.922×10−7J
4.499×10−15Jの場合。
“質量を持つ電磁気”1個のエネルギー＝1.296×10−48Kg×9×1016×1.540×1027＝1.796×10−4J
この事により、“質量を持つ電磁気”1個のエネルギーは、存在する場のエネルギーにより異なる。高エネルギーの場では、高エネルギーになる。
・電子のラブができる場では、エネルギーは何倍になっているか。
電子のラブができる場のA は、1.865×1038aです。放出した電磁気によってできる場のAは、2.653×1020aです。(特願2010−210141より)
電子のラブができる場のA÷放出した電磁気によってできる場のA＝1.865×1038a÷(2.653×1020a)＝7.030×1017
電子のラブができる場では、エネルギーは7.030×1017倍になっている。それで、電磁気は7.030×1017個集まって、1つの電子のラブとなることができる。
・陽子のラブができる場では、エネルギーは何倍になっているか。
陽子のラブができる場のA は、3.421×1041aです。放出した電磁気によってできる場のAは、2.653×1020aです。
陽子のラブができる場のA÷放出した電磁気によってできる場のA＝3.421×1041a÷(2.653×1020a)＝1.289×1021
陽子のラブができる場では、エネルギーは1.289×1021倍になっている。それで、電磁気は2.189×1021個集まって、1つの陽子のラブとなることができる。
5．“質量を持つ電磁気”1個の引力はいくらか。(これは、場のエネルギーにより異なる)
地表で、質量が1.296×10−48Kgの引力は、(6.672×10−11Nm2/Kg2)1/2×1.296×10−48Kg＝8.168×10−6J/Kg×1.296×10−48Kg
=1.059×10−53J、です。
地表のA倍のエネルギーの場では、引力＝1.059×10−53J×A、です。
・放出した電磁気によってできる場において。
１eVの場合。
“質量を持つ電磁気”1個の引力＝1.059×10−53J×42.50＝4.501×10−52J
2.154×10−19Jの場合。
“質量を持つ電磁気”1個の引力＝1.059×10−53J×57.15＝6.052×10−52J
1.424×10−18Jの場合。
“質量を持つ電磁気”1個の引力＝1.059×10−53J×3.776×102＝3.999×10−51J
1.234×10−17Jの場合。
“質量を持つ電磁気”1個の引力＝1.059×10−53J×3.271×103＝3.464×10−50J
4.499×10−15Jの場合。
“質量を持つ電磁気”1個の引力＝1.059×10−53J×1.195×106＝1.296×10−47J
・電子のラブができる場において。
１eVの場合。
“質量を持つ電磁気”1個の引力＝1.059×10−53J×2.987×1019＝3.163×10−34J
2.154×10−19Jの場合。
“質量を持つ電磁気”1個の引力＝1.059×10−53J×4.017×1019＝4.254×10−34J
1.423×10−18Jの場合。
“質量を持つ電磁気”1個の引力＝1.059×10−53J×2.655×1020＝2.811×10−33J
1.233×10−17Jの場合。
“質量を持つ電磁気”1個の引力＝1.059×10−53J×2.299×1021＝2.435×10−32J
4.499×10−15Jの場合。
“質量を持つ電磁気”1個の引力＝1.059×10−53J×8.389×1023＝8.884×10−30J
・陽子のラブができる場において。
１eVの場合。
“質量を持つ電磁気”1個の引力＝1.059×10−53J×5.479×1022＝5.802×10−31J
2.154×10−19Jの場合。
“質量を持つ電磁気”1個の引力＝1.059×10−53J×7.802×1022＝8.262×10−31J
1.424×10−18Jの場合。
“質量を持つ電磁気”1個の引力＝1.059×10−53J×4.867×1023＝5.154×10−30J
1.233×10−17Jの場合。
“質量を持つ電磁気”1個の引力＝1.059×10−53J×4.220×1024＝4.469×10−29J
44.503×10−15Jの場合。
“質量を持つ電磁気”1個の引力＝1.059×10−53J×1.540×1027＝1.631×10−26J
この事により、“質量を持つ電磁気”1個の引力は、存在する場のエネルギーにより異なる。高エネルギーの場では、高引力になる。
・電子のラブができる場では、引力は何倍になっているか。
電子のラブができる場のA は、1.865×1038aです。放出した電磁気によってできる場のAは、2.653×1020aです。(特願2010−210141より)
電子のラブができる場のA÷放出した電磁気のエネルギーによってできる場のA＝1.865×1038a÷(2.653×1020a)＝7.030×1017
電子のラブができる場では、引力は7.030×1017倍になっている。それで、電磁気は7.030×1017個集まって、1つの電子のラブとなることができる。
・陽子のラブができる場では、引力は何倍になっているか。
陽子のラブができる場のA は、3.421×1041aです。放出した電磁気のエネルギーによってできる場のAは、2.653×1020aです。
陽子のラブができる場のA÷放出した電磁気のエネルギーによってできる場のA＝3.421×1041a÷(2.653×1020a)＝1.289×1021
陽子のラブができる場では、引力は1.289×1021倍になっている。それで、電磁気は2.189×1021個集まって、1つの陽子のラブとなることができる。
6．電子のラブと陽子のラブの性質は何によってできたか。(電子のラブと陽子のラブが電磁気でできた証拠)
電子のラブは、“質量を持つ電磁気”が7.028×1017個集まってできた。
陽子のラブは、“質量を持つ電磁気”が1.289×1021個集まってできた。
それで、電子のラブは“質量を持つ電磁気”の集合体である。よって、電子のラブは、質量を持ち、電磁気の性質を持つ。電子のラブのは自転し磁気の光子を作り、公転し電気の光子を作るのは、電子のラブは電磁気でできた証拠です。
陽子のラブは“質量を持つ電磁気”の集合体である。よって、陽子のラブは、質量を持ち、電磁気の性質を持つ。陽子のラブが自転し磁気の光子を作り、公転し電気の光子を作るのは、陽子のラブは電磁気でできた証拠です。
7．電子のラブと陽子のラブは1公転で何分の1のエネルギーを放出するか。
地表で、電子のラブが1公転で作る電磁気のエネルギーは、1.165×10−31Jです。
電子のラブが1公転で作る電気の光子1個のエネルギー＝1.233×10−41Jm÷電子のラブの公転軌道＝1.233×10−41Jm÷(1.058×10−10m)＝1.165×10−31J
電子のラブが1公転で作る電気の光子1個のエネルギー(電磁気1個のエネルギー)は電子のラブのエネルギーの何分の1か。
電子のラブのエネルギー÷電子のラブが1公転で作る電磁気のエネルギー＝8.187×10−14J÷(1.165×10−31J)＝7.027×1017
電子のラブが1公転で作る電磁気のエネルギーは、電子のラブのエネルギーの7.027×1017分の1です。
この事は、電子のラブは1公転するとき、電磁気数分の1のエネルギーを作っているという事です。
陽子のラブの場合。
地表で、陽子のラブが1公転で作る電磁気のエネルギーは、1.165×10−31Jです。
陽子のラブが1公転で作る電気の光子1個のエネルギー＝6.724×10−45Jm÷陽子のラブの公転軌道＝6.724×10−45Jm ÷(5.764×10−14m)＝1.167×10−31J
陽子のラブが1公転で作る電気の光子1個のエネルギー(電磁気1個のエネルギー)は陽子のラブのエネルギーの何分の1か。
陽子のラブのエネルギー÷陽子のラブが1公転で作る電磁気のエネルギー＝1.5×10−10J÷(1.167×10−31J)＝1.285×1021
陽子のラブが1公転で作る電磁気のエネルギーは、陽子のラブのエネルギーの1.285×1021分の1です。
この事は、陽子のラブは1公転するとき、電磁気数分の1のエネルギーを作っているという事です。
まとめて表に示す。
表1
2012080686.tif 000003
表2
2012080686.tif 000004
表3
2012080686.tif 000005
【産業上の利用可能性】
【０００９】
物質の原初、ビッグバンの以前の様子、電子のラブがどのようにできたか。陽子のラブがどのようにできたかを理解する事は、科学の発達に役立つ。
【符号の説明】
【００１０】
１    放出した電気の光子の軌道(公転軌道)1.223×10−17Jの場合、10−24m。
２    磁気の光子の軌道(自転軌道)は、3.945×10−32mで、エネルギーは1.549×10−25J。
３    放出した電磁気のエネルギー＝引力
４    ブラックホールの場の1個の電子のラブが作る引力は10−26Jで、公転軌道は1.434×10−16m。
５    電子のラブは１公転で全エネルギーの7.028×1017分の1の電気の光子と磁気の光子を作る。
６    陽子のラブは１公転で全エネルギーの1.289×1021分の1の電気の光子と磁気の光子を作る。
【図１】
2012080686.tif 000006
【図２】
2012080686.tif 000007
【図３】
2012080686.tif 000008